(57)【要約】【課題】従来存在していなかった、新規の構造を備えたＬＥＤ電球用口金を提供する。【解決手段】  本発明は、ＬＥＤ電球用の口金であって、主面を有する口金基体と、主面上に周方向に離間して４箇所に設けられた孔部と、４箇所の孔部のそれぞれに挿通されており、口金基体の前記主面側においてＬ字型に屈曲した屈曲部を含む、導電性部材からなる端子とを有する。【選択図】        図３Ａ
2018147750.tif 000002
【特許請求の範囲】
【請求項１】
ＬＥＤ電球用の口金であって、
主面を有する口金基体と、
前記主面上に周方向に離間して４箇所に設けられた孔部と、
４箇所の前記孔部のそれぞれに挿通されており、前記口金基体の前記主面側においてＬ字型に屈曲した屈曲部を含む、導電性部材からなる端子とを有することを特徴とする口金。
【請求項２】
前記屈曲部は、前記口金基体の前記主面の中心に向かって屈曲していることを特徴とする請求項１に記載の口金。
【請求項３】
４箇所に設けられた前記端子のうち、向かい合う一対の端子同士は同一円周上に配置されており、隣接する端子同士は同心円状に配置されていることを特徴とする請求項１又は２に記載の口金。
【請求項４】
請求項１又は２に記載の口金に嵌合される受け金であって、
主面を有する受け金基体を有し、
前記受け金基体は、当該受け金基体の前記主面上において、径方向に係る幅が長い第一領域と、前記径方向に係る幅が前記第一領域よりも短い第二領域とが周方向に連結されてなる端子受け溝部が、周方向に離間して４箇所に設けられていることを特徴とする受け金。
【請求項５】
４箇所に設けられた前記端子受け溝部のうち、向かい合う一対の端子受け溝部同士は同一円周上に配置されており、隣接する前記端子受け溝部同士は同心円状に配置されていることを特徴とする請求項４に記載の受け金。
【請求項６】
請求項１又は２に記載の口金と、
請求項４に記載の受け金と、
ＬＥＤ素子が実装された基板とを有し、
前記口金に設けられた４箇所の前記端子が、前記受け金に設けられた４箇所の前記端子受け溝部にそれぞれ挿通されており、
前記端子と、前記ＬＥＤ素子とが電気的に接続されていることを特徴とするＬＥＤ電球ユニット。
【請求項７】
請求項３に記載の口金と、
請求項５に記載の受け金と、
ＬＥＤ素子が実装された基板とを有し、
前記口金に設けられた前記端子のうち、それぞれ向かい合う一対の前記端子が、前記受け金に設けられた前記端子受け溝部のうち、それぞれ向かい合う一対の前記端子受け溝部に挿通されており、
第一方向に向かい合う一対の前記端子は、第一色温度を示す前記ＬＥＤ素子と電気的に接続され、
第二方向に向かい合う一対の前記端子は、前記第一色温度とは異なる第二色温度を示す前記ＬＥＤ素子と電気的に接続されていることを特徴とするＬＥＤ電球ユニット。
【請求項８】
請求項１〜３のいずれか１項に記載の口金と、
前記端子と電気的に接続された前記ＬＥＤ素子とを含むことを特徴とするＬＥＤ電球。
【発明の詳細な説明】
【技術分野】
【０００１】
本発明はＬＥＤ電球用口金と、この口金に対応した受け金に関する。また、本発明は、この口金を含むＬＥＤ電球、及びＬＥＤ電球ユニットに関する。
【背景技術】
【０００２】
各種照明器具の光源として用いられる電球には、従来、白熱電球が専ら用いられていた。これに対し、近年、発光効率が高くて長寿命、且つ、省電力である等の利点を有するＬＥＤを用いたＬＥＤ電球が出現している（例えば、特許文献１，２参照）。
【先行技術文献】
【特許文献】
【０００３】
【特許文献１】特許第５６０１６５６号公報
【特許文献２】特開２０１２−６９３９５号公報
【発明の概要】
【発明が解決しようとする課題】
【０００４】
本発明は、従来存在していなかった、新規の構造を備えたＬＥＤ電球用口金を提供することを目的とする。また、本発明は、このような口金に対応した受け金、このような口金を含むＬＥＤ電球、及びＬＥＤ電球ユニットを提供することを目的とする。
【課題を解決するための手段】
【０００５】
本発明は、ＬＥＤ電球用の口金であって、
主面を有する口金基体と、
前記主面上に周方向に離間して４箇所に設けられた孔部と、
４箇所の前記孔部のそれぞれに挿通されており、前記口金基体の前記主面側においてＬ字型に屈曲した屈曲部を含む、導電性部材からなる端子とを有することを特徴とする。
【０００６】
従来、電球用の口金としては、Ｅ２６型に代表されるねじ込み式タイプと、Ｇｕ５．３に代表される差し込み式タイプの２種類が存在している。
【０００７】
ねじ込み式タイプでは、受け金と口金に対して共にねじ切りが施されており、口金を含む電球本体を受け金の内側面に接触させたまま回転させることで、口金を受け金内にねじ込んで固定する。受け金が天井に固定されているような場合、口金と受け金のねじ切り同士を合わせる際に作業者に対してストレスを感じさせる場合がある。また、ねじ切り同士が合致した後でも、口金を回転させている間に、ねじ切り同士の噛合が外れてしまう場合がある。
【０００８】
これに対し、差し込み式タイプでは、口金に設けられた端子を、受け金に設けられた溝部に差し込んだ後、所定の向きに所定の角度だけ回転させることで、端子が孔部から脱落せずに設置できる。すなわち、ねじ込み式タイプと比べて、作業者は容易に電球の取付けを行うことができるという利点がある。
【０００９】
ところで、従来、差し込み式タイプでは、口金に２本の端子が設けられており、受け金にはこの２本の端子を挿通させるための溝部が２箇所設けられていた。上記のように、受け金が天井に固定されている場合、作業者は上を見ながら口金の端子を溝部に差し込む作業を行うことになる。このとき、作業者は、溝部と端子の相対的な位置関係を見誤って、溝部が形成されていない受け金の基体の面に端子を当ててしまう傾向があり、このことが作業者に対してストレスを生じさせる場合がある。
【００１０】
これに対し、上記の口金は、周方向に離間した４箇所に端子が設けられている。このため、受け金の溝部に対して端子を嵌合させようとする場合、受け金にも端子に対応して４箇所に孔部が設けられていることになる。周方向に離間した４箇所に溝部が設けられていることで、作業者は受け金の中心位置を目測で把握しやすい。同様に、口金にも周方向に離間した４箇所に端子が設けられているため、口金の中心位置を把握しやすい。この結果、仮に受け金が天井に固定されている場合であっても、作業者は上を見ながら、口金の中心位置と受け金の中心位置を目測で合わせやすい。この結果、口金に設けられた端子と、受け金に設けられた溝部とを嵌合させる作業が容易化される。
【００１１】
更に、口金を受け金に取り付ける際、口金の基体の主面上の４箇所に設けられた端子は、それぞれ、受け金の基体の主面上の４箇所に設けられた溝部と嵌合される。この結果、２箇所で嵌合していた従来の構成よりも、両者の嵌合状態が安定化される。
【００１２】
受け金に対して口金を嵌合させる際の作業性を鑑みると、口金に設けられる端子の数、及び受け金に設けられる溝部の数は、奇数よりも偶数であることが好ましい。なぜなら、端子の数が偶数である場合、一対の端子を対角に配置できるためである。すなわち、向かい合う一対の端子を、複数組目視で確認することで、作業者は口金の中心位置を容易に認識することができる。受け金についても同様である。
【００１３】
他方、口金に設けられる端子の数を６以上にすると、受け金に対して安定的に嵌合させるためには、受け金の基体の主面の面積を拡大する必要が生じてしまう。受け金には、口金の端子の数に対応した数の溝部を設ける必要がある。口金の端子を受け金の溝部に嵌合させた後に、口金（口金の基体）を回転して受け金に固定することを鑑みた場合、仮に受け金の溝部の数が多くなると、端子を溝部に嵌合させた後に受け金を回転させるための回転しろが短くなってしまう。この結果、口金が受け金から脱落しやすくなる危険性が生じる。従って、十分な回転しろを確保するためには、受け金の基体の主面の面積を拡大しなければならなくなる。
【００１４】
上記の発明によれば、口金に設けられる端子の数を４つとしたことで、受け金を小型化した状態で、受け金への取付作業の容易性と、取付状態の安定性の両立が可能となる。
【００１５】
更に、端子の数を４つとしたことで、ＬＥＤ素子に対する電源供給を２系統で行うことが可能となる。例えば、第一方向に向かい合う一対の端子同士で一つの系統を構成し、別の第二方向に向かい合う別の一対の端子同士で、別の系統を構成することができる。このため、例えば、第一端子対に属する一の端子が破損したり電気的に非接続となった場合であっても、この第一端子対とは別の第二端子対からＬＥＤ素子に対して電源供給が行えるため、完全に不点灯状態となることからは免れる。
【００１６】
前記屈曲部は、前記口金基体の前記主面の中心に向かって屈曲しているものとすることができる。
【００１７】
４箇所に設けられた前記端子のうち、向かい合う一対の端子同士は同一円周上に配置されており、隣接する端子同士は同心円状に配置されているものとすることができる。
【００１８】
上記のように、口金の４箇所に端子を設けたことで、ＬＥＤ素子に対して２系統で電力を供給できる。このため、例えば、各系統ごとに供給電流量の調整を行うことが可能である。より詳細には、第一色温度を示すＬＥＤ素子に対して、第一端子対から電力を供給し、第二色温度を示すＬＥＤ素子に対して、第一端子対とは異なる第二端子対から電力を供給するという回路設計が可能である。このような回路設計が施されたＬＥＤ電球によれば、各系統ごとに供給電流量を調整することで、発せられる光の色味の調整や明るさの調整を行うことが可能となる。
【００１９】
ところで、従来のように２本の端子（一対の端子）を設けた口金を含むＬＥＤ電球において、色温度の異なる複数のＬＥＤ素子を実装した場合を想定する。このようなＬＥＤ電球においては、一対の端子を通じて供給される電力を、ＬＥＤ電球内部で２系統に分離し、分離された各系統に、異なる色温度を示すＬＥＤ素子が接続されることで、色温度の調整を行うことができる。しかし、かかる回路構成においては、一方の系統に供給される電流量を増加させると、他方の系統に供給される電流量が減少することになる。この結果、電球から発せられる光の色味の調整と明るさの調整との両者を自在に行うことができない。言い換えれば、所定の照度以上を維持しながらでは、色味の調整ができる範囲が限定的となってしまう。これに対し、上記の構成の場合、従来のＬＥＤ電球と比較して、色味と明るさの調整の自在性が向上するため、色味の調整ができる範囲を従来よりも拡大することができる。
【００２０】
このように、色温度の異なるＬＥＤ素子を備えるＬＥＤ電球においては、第一色温度を示すＬＥＤ素子を含む系統に接続される端子と、第二色温度を示すＬＥＤを含む系統に接続される端子とを正しく区別しておくことが好ましい。なぜならば、もし、接続される端子が逆転していた場合、色味の調整を行う指示信号をＬＥＤ電球に対して与えると、所望の色味とは異なる色味の光を発してしまうおそれがあるためである。しかし、上記のように、向かい合う一対の端子同士を同一円周上に配置し、隣接する端子同士を同心円状に配置したことで、このような誤接続が防止される。
【００２１】
また、本発明は、上記口金に嵌合される受け金であって、
主面を有する受け金基体を有し、
前記受け金基体は、当該受け金基体の前記主面上において、径方向に係る幅が長い第一領域と、前記径方向に係る幅が前記第一領域よりも短い第二領域とが周方向に連結されてなる端子受け溝部が、周方向に離間して４箇所に設けられていることを特徴とする。
【００２２】
４箇所に設けられた前記端子受け溝部のうち、向かい合う一対の端子受け溝部同士は同一円周上に配置されており、隣接する前記端子受け溝部同士は同心円状に配置されているものとしても構わない。
【００２３】
本発明に係るＬＥＤ電球ユニットは、
上記の口金と、
上記の受け金と、
ＬＥＤ素子が実装された基板とを有し、
前記口金に設けられた４箇所の前記端子が、前記受け金に設けられた４箇所の前記端子受け溝部にそれぞれ挿通されており、
前記端子と、前記ＬＥＤ素子とが電気的に接続されていることを特徴とする。
【００２４】
本発明に係るＬＥＤ電球ユニットは、
上記の口金と、
上記の受け金と、
ＬＥＤ素子が実装された基板とを有し、
前記口金に設けられた前記端子のうち、それぞれ向かい合う一対の前記端子が、前記受け金に設けられた前記端子受け溝部のうち、それぞれ向かい合う一対の前記端子受け溝部に挿通されており、
第一方向に向かい合う一対の前記端子は、第一色温度を示す前記ＬＥＤ素子と電気的に接続され、
第二方向に向かい合う一対の前記端子は、前記第一色温度とは異なる第二色温度を示す前記ＬＥＤ素子と電気的に接続されていることを別の特徴とする。
【００２５】
本発明に係るＬＥＤ電球は、
上記の口金と、
前記端子と電気的に接続された前記ＬＥＤ素子とを含むことを特徴とする。
【図面の簡単な説明】
【００２６】
【図１】ＬＥＤ電球の一実施形態の模式的な斜視図である。
【図２】ＬＥＤ電球の一実施形態の模式的な斜視図である。
【図３Ａ】口金の一実施形態の模式的な斜視図である。
【図３Ｂ】口金の一実施形態の模式的な平面図である。
【図４Ａ】受け金の一実施形態の模式的な斜視図である。
【図４Ｂ】受け金の一実施形態の模式的な平面図である。
【図５Ａ】口金を受け金に嵌合させた状態を模式的に示す斜視図である。
【図５Ｂ】口金を受け金に嵌合させた状態を模式的に示す平面図である。
【図６Ａ】口金を受け金に嵌合させた状態を模式的に示す斜視図である。
【図６Ｂ】口金を受け金に嵌合させた状態を模式的に示す平面図である。
【図７】一実施形態におけるＬＥＤ電球の模式的な回路ブロック図である。
【発明を実施するための形態】
【００２７】
本発明に係るＬＥＤ電球用口金、受け金、ＬＥＤ電球、及びＬＥＤ電球ユニット（以下、「口金等」と呼ぶ。）の実施形態につき、図面を参照して説明する。なお、以下の各図面は、口金等の一実施形態を示すものであり、本発明を図示された構成に限定する趣旨ではない。また、各図において、図面の寸法比と実際の寸法比は必ずしも一致しない。
【００２８】
図１及び図２は、ＬＥＤ電球の一実施形態の模式的な斜視図である。図２は、図１とは異なる方向からＬＥＤ電球を見た図面に対応する。図１及び図２に示すように、ＬＥＤ電球１は、本体部１０と口金２とを備える。ＬＥＤ電球１において、本体部１０のうち、口金２が連結されている側とは反対側の面が光取り出し面１１を構成する。本体部１０には、電源回路、レンズなどの光学部材などが含まれる。
【００２９】
図３Ａは、口金２の一実施形態の模式的な斜視図である。図３Ｂは、口金２の一実施形態の模式的な平面図である。図１、図３Ａ、及び図３Ｂに示すように、口金２は、口金基体２０と、口金基体２０の主面２２上に周方向に離間して４箇所に設けられた孔部２３とを有する。また、口金２は、４箇所の孔部２３のそれぞれに挿通されており、口金基体２０の主面２２側においてＬ字型に屈曲した屈曲部２４を含む４本の端子２１（２１ａ，２１ｂ，２１ｃ，２１ｄ）を有する。各端子２１は、導電性部材で構成されている。
【００３０】
本実施形態において、各端子２１が備える屈曲部２４は、口金基体２０の主面２２の中心に向かって屈曲している。
【００３１】
本実施形態において、向かい合う一対の端子（２１ａ，２１ｃ）、及び向かい合う一対の端子（２１ｂ，２１ｄ）は、それぞれ口金基体２０の主面２２上において、同一円周上に離間して配置されている。なお、ここでいう同一円周上とは、例えば、径方向に関して主面２２の径の３％以下程度ずれているような構成、すなわち、実質的に同一円周上に配置されている構成を含む。
【００３２】
本実施形態において、隣接する端子２１同士は、同心円状に配置されている。例えば、端子２１ａと端子２１ｂとは、主面２２の中心からの距離が異なっている。同様に、端子２１ｂと端子２１ｃとは、主面２２の中心からの距離が異なっている。端子２１ｃと端子２１ｄとは、主面２２の中心からの距離が異なっている。図３Ｂにおいて、端子２１ａと端子２１ｃとが主面２２上に配置されている円を二点鎖線で示しており、端子２１ｂと端子２１ｄとが主面２２上に配置されている円を一点鎖線で示している。
【００３３】
一例として、主面２２の径は２９ｍｍ程度であり、主面２２の中心から、端子２１ａの中心位置及び端子２１ｃの中心位置までの離間距離は４．５ｍｍ程度であり、主面２２の中心から、端子２１ｂの中心位置及び端子２１ｄの中心位置までの離間距離は１７ｍｍ程度である。
【００３４】
図４Ａは、ＬＥＤ電球ユニットが備える受け金の一実施形態の模式的な斜視図である。図４Ｂは、前記受け金の一実施形態の模式的な平面図である。
【００３５】
図１及び図２に示すＬＥＤ電球１は、口金２を受け金３に嵌合させた状態で使用される。本明細書内において、ＬＥＤ電球ユニットとは、口金２を含むＬＥＤ電球１と受け金３とを含むユニットを指す概念である。
【００３６】
例えば、受け金３は天井などに取り付けられている。作業者は、ＬＥＤ電球１に設けられた口金２を、予め天井に取り付けられていた受け金３に嵌合させることで、ＬＥＤ電球１の取付作業を行う。これにより、天井に予め施された配線から、口金２を通じてＬＥＤ素子に電力が供給され、ＬＥＤ電球１が発光する。
【００３７】
図４Ａ及び図４Ｂに示すように、受け金３は、受け金基体３０と、受け金基体３０の主面３２上において、周方向に離間して４箇所に設けられた端子受け溝部３１（３１ａ，３１ｂ，３１ｃ，３１ｄ）とを有する。各端子受け溝部３１は、径方向に係る幅が長い第一領域３５と、径方向に係る幅が第一領域３５よりも短い第二領域３６とが周方向に連結されて構成されている。この第一領域３５の幅は、口金２に設けられた端子２１の屈曲部２４の長さよりは長い。一方、第二領域３６の幅は、前記屈曲部２４の長さよりは短い。一例として、第一領域３５の幅は５ｍｍ程度であり、第二領域３６の幅は２．７５ｍｍ程度である。各端子受け溝部３１は、例えば周方向に３５°〜４５°程度の拡がりを有して構成されている。
【００３８】
口金２を受け金３に取り付ける際には、端子２１の屈曲部２４を端子受け溝部３１の第一領域３５から挿入した後、口金基体２を周方向に回転させ、屈曲部２４を第二領域３６内に位置させる。これにより、上述したように、端子受け溝部３１の第二領域３６の幅は、屈曲部２４の長さよりも狭いため、口金２は受け金３に固定される。
【００３９】
図５Ａは、口金２を受け金３に嵌合させた状態を模式的に示す斜視図である。図５Ｂは、口金２を受け金３に嵌合させた状態を模式的に示す平面図である。図５Ａ及び図５Ｂに示すように、受け金３は、好ましくは蓋部３８を備えている。この蓋部３８は、例えば天井の取付面とビス等で連結される。
【００４０】
図６Ａは、口金２を受け金３に嵌合させた状態を模式的に示す斜視図であり、説明の都合上、蓋部３８の図示を省略した図面である。図６Ｂは、口金２を受け金３に嵌合させた状態を模式的に示す平面図であり、説明の都合上、蓋部３８の図示を省略した図面である。上述したように、口金２の端子２１が、端子受け溝部３１の第二領域３６内に位置しているため、図６Ｂでは、端子受け溝部３１の第一領域３５が図面上に現れている。
【００４１】
図４Ｂに示すように、本実施形態において、向かい合う一対の端子受け溝部同士（３１ａ，３１ｃ）、及び向かい合う一対の端子受け溝部同士（３１ｂ，３１ｄ）は、それぞれ、受け金基体３０の主面３２上において、同一円周上に離間して配置されている。
【００４２】
本実施形態において、隣接する端子受け溝部３１同士は、同心円状に配置されている。例えば、端子受け溝部３１ａと端子受け溝部３１ｂとは、主面３２の中心からの距離が異なっている。同様に、端子受け溝部３１ｂと端子受け溝部子３１ｃとは、主面３２の中心からの距離が異なっている。端子受け溝部３１ｃと端子受け溝部３１ｄとは、主面３２の中心からの距離が異なっている。図４Ｂにおいて、端子受け溝部３１ａと端子受け溝部３１ｃとが主面３２上に配置されている円を二点鎖線で示しており、端子受け溝部３１ｂと端子受け溝部３１ｄとが主面３２上に配置されている円を一点鎖線で示している。
【００４３】
このような構成においては、一対の端子（２１ａ，２１ｃ）は、端子受け溝部（３１ａ，３１ｃ）に嵌合し、一対の端子（２１ｂ，２１ｄ）は、端子受け溝部（３１ｂ，３１ｄ）に嵌合する。かかる構成によれば、ＬＥＤ素子に対して電力を供給するための電源系統が２系統存在する場合において、各系統別に電流制御を実行することが可能となる。
【００４４】
図７は、一実施形態におけるＬＥＤ電球１の模式的な回路ブロック図である。ここでは、ＬＥＤ電球１が、色温度の異なる２種類のＬＥＤ素子（５１，５２）を実装している場合を想定している。ＬＥＤ素子５１は、第一色温度の発光色を示す。ＬＥＤ素子５２は、第二色温度の発光色を示す。
【００４５】
ＬＥＤ電球１の本体部１０内には、電源回路４１と電源回路４２とが実装されている。電源回路４１は、口金２の端子２１ａと端子２１ｃとに電気的に接続されている。電源回路４２は、口金２の端子２１ｂと端子２１ｄとに電気的に接続されている。このような構成において、一対の端子（２１ａ，２１ｃ）を端子受け溝部（３１ａ，３１ｃ）に嵌合し、一対の端子（２１ｂ，２１ｄ）を端子受け溝部（３１ｂ，３１ｄ）に嵌合させる。これにより、不図示の制御手段から調色・調光の制御信号がＬＥＤ電球１に対して送信された場合、当該制御信号は、各電源回路（４１，４２）に対して供給され、各ＬＥＤ素子（５１，５２）への供給電流量が個別に調整される。これにより、所望の明るさ／色温度を示す光が得られる。
【００４６】
仮に、ＬＥＤ素子５１が一対の端子（２１ｂ，２１ｄ）に接続されている場合、第一色温度の光の強度を低下する旨の制御信号をＬＥＤ電球１に対して送信した場合に、ＬＥＤ素子５２の光の強度が低下してしまう場合が起こり得る。隣接する端子２１同士、及び隣接する端子受け溝部３１同士を、同一円周上ではなく、同心円状に配置したことで、対応する端子２１と端子受け溝部３１とを、正しく嵌合させることができる。
【００４７】
［別実施形態］
以下、別実施形態につき説明する。
【００４８】
〈１〉上記実施形態において、口金基体２０はほぼ円柱形状を示す構造が図示されていたが、口金基体２０の主面２２が円周方向に回転可能な構成であれば、この形状に限定されない。本体部１０の形状、及び受け金基体３０の形状についても、同様に、円柱形状には限定されない。
【００４９】
〈２〉上記実施形態において、口金２に設けられていた各端子２１が備える屈曲部２４は、口金基体２０の主面２２の中心に向かって屈曲する構造が図示されていたが、屈曲部２４の屈曲の態様はこれに限定されない。少なくとも、口金基体２０を周方向に回転させることで、受け金３の端子受け溝部３１内において、端子２１を第一領域３５から第二領域３６に向かって移動させ、第二領域３６内で端子２１が固定できる構造であればよい。例えば、屈曲部２４が、主面２２の外縁に向かって屈曲していても構わない。
【００５０】
〈３〉上記実施形態では、端子受け溝部３１が、幅の広い第一領域３５と、幅の狭い第二領域３６とが連結されて形成されているとして説明した。ただし、この記載は、端子受け溝部３１に形成されている溝の幅が、２種類であることを限定する趣旨ではない。端子受け溝部３１が、端子２１の屈曲部２４を挿入可能な幅を有する領域（第一領域３５に対応）と、当該屈曲部２４の幅よりも狭い幅を有する領域（第二領域３６に対応）とを備える構成を全て含む趣旨である。
【００５１】
〈４〉上記実施形態では、向かい合う一対の端子２１同士が同一円周上に配置され、隣接する端子２１同士は、同一円周上ではない同心円状に配置されているものとした。しかし、本発明は、全ての端子２１が口金２の主面２２上における同一円周上に離間して配置される構成を排除しない。同様に、本発明は、全ての端子受け溝部３１が、受け金３の主面３２上における同一円周上に離間して配置される構成を排除しない。
【００５２】
〈５〉ＬＥＤ電球１が備えるＬＥＤ素子は、同一の色温度を示す素子であっても構わない。この場合においても、電源供給用の端子２１が２系統存在することで、各ＬＥＤ素子に対して大電流を供給することができるため、従来よりも高輝度のＬＥＤ電球が実現される。
【符号の説明】
【００５３】
１      ：    ＬＥＤ電球
２      ：    口金
３      ：    受け金
１０      ：    本体部
１１      ：    光取り出し面
２０      ：    口金基体
２１（２１ａ，２１ｂ，２１ｃ，２１ｄ）      ：    端子
２２      ：    口金基体の主面
２３      ：    孔部
２４      ：    屈曲部
３０      ：    受け金基体
３１（３１ａ，３１ｂ，３１ｃ，３１ｄ）      ：    端子受け溝部
３２      ：    受け金基体の主面
３５      ：    端子受け溝部の第一領域
３６      ：    端子受け溝部の第二領域
３８      ：    蓋部
４１，４２      ：    電源回路
５１，５２      ：    ＬＥＤ素子
【図１】
2018147750.tif 000003
【図２】
2018147750.tif 000004
【図３Ａ】
2018147750.tif 000005
【図３Ｂ】
2018147750.tif 000006
【図４Ａ】
2018147750.tif 000007
【図４Ｂ】
2018147750.tif 000008
【図５Ａ】
2018147750.tif 000009
【図５Ｂ】
2018147750.tif 000010
【図６Ａ】
2018147750.tif 000011
【図６Ｂ】
2018147750.tif 000012
【図７】
2018147750.tif 000013